(57)【要約】      （修正有）【課題】劣化した二次電池に対して、充電時間を長くすることなく、充電を効率的に行う。【解決手段】充電装置１は、インピーダンス測定回路１ａにより二次電池２のインピーダンスを測定し、制御回路１ｂにより、測定結果（インピーダンス値）に応じて、ＤＣ／ＤＣ回路１ｃにおいて生成するパルスのＤＵＴＹ比を変化させる。例えば、インピーダンスが高ければ二次電池２が劣化していると判断して、パルスのＤＵＴＹ比を下げることで、二次電池２のリップル電圧の抑制を図る。さらに、充電電流モニタ回路１ｄにより二次電池２に対する充電電流の変化を測定してその測定結果を制御回路１ｂに入力し、制御回路１ｂは、ＤＵＴＹ比を変化させる（下げる）ことで二次電池２に対する充電電流が減少したことを検知すると、ＤＣ／ＤＣ回路１ｃでのスイッチング動作周波数をアップさせて、充電電流の減少を抑制して、充電時間の長期化を回避する。【選択図】図１
2011024395.tif 000002
【特許請求の範囲】
【請求項１】
具備したＤＣ／ＤＣ回路で生成するパルスのＤＵＴＹ比を変化させて二次電池の充電電流制御を行う充電装置であって、
上記二次電池のインピーダンスを測定するインピーダンス測定回路と、
該インピーダンス測定回路が測定したインピーダンスと予め設定された第１の閾値とを比較し、測定したインピーダンスが第１の閾値より大きければ、上記ＤＣ／ＤＣ回路で生成するパルスのＤＵＴＹ比を下げるためのＤＵＴＹ制御信号を生成して該ＤＣ／ＤＣ回路に送出する第１の制御回路と、
該第１の制御回路からのＤＵＴＹ制御信号により上記ＤＣ／ＤＣ回路で生成するパルスのＤＵＴＹ比を下げた際の上記ＤＣ／ＤＣ回路から出力される電流値を測定する充電電流モニタ回路と、
該充電電流モニタ回路が測定した電流値と予め設定された第２の閾値とを比較し、測定した電流値が第２の閾値より小さければ、上記ＤＣ／ＤＣ回路でのスイッチング動作周波数をアップさせるための周波数可変信号を生成して該ＤＣ／ＤＣ回路に送出する第２の制御回路と
を有することを特徴とする充電装置。
【請求項２】
具備したＤＣ／ＤＣ回路で生成するパルスのＤＵＴＹ比を変化させて二次電池の充電電流制御を行う充電装置であって、
上記二次電池のインピーダンスを測定するインピーダンス測定回路と、
該インピーダンス測定回路が測定したインピーダンスの値に応じて予め定められたレベルで上記ＤＣ／ＤＣ回路で生成するパルスのＤＵＴＹ比を変更するためのＤＵＴＹ制御信号を生成して該ＤＣ／ＤＣ回路に送出する第１の制御回路と、
該第１の制御回路からのＤＵＴＹ制御信号により上記ＤＣ／ＤＣ回路で生成するパルスのＤＵＴＹ比を変更した際の上記ＤＣ／ＤＣ回路から出力される電流値を測定する充電電流モニタ回路と、
該充電電流モニタ回路が測定した電流値と予め設定された閾値とを比較し、測定した電流値が閾値より小さければ、上記ＤＣ／ＤＣ回路でのスイッチング動作周波数をアップさせるための周波数可変信号を生成して該ＤＣ／ＤＣ回路に送出する第２の制御回路と
を有することを特徴とする充電装置。
【請求項３】
具備したＤＣ／ＤＣ回路で生成するパルスのＤＵＴＹ比を変化させて二次電池の充電電流制御を行う充電装置であって、
上記二次電池のインピーダンスを測定するインピーダンス測定回路と、
該インピーダンス測定回路が測定したインピーダンスの値に応じて予め定められたレベルで、上記ＤＣ／ＤＣ回路における充電完了電流値、完了タイマ、予備充電電流値、予備充電タイマ、定電圧充電電圧値のそれぞれを変更するための制御信号を生成して該ＤＣ／ＤＣ回路に出力する第１の制御回路と、
該第１の制御回路からの制御信号により上記ＤＣ／ＤＣ回路における充電完了電流値、完了タイマ、予備充電電流値、予備充電タイマ、定電圧充電電圧値を変更した際の上記ＤＣ／ＤＣ回路から出力される電流値を測定する充電電流モニタ回路と、
該充電電流モニタ回路が測定した電流値と予め設定された閾値とを比較し、測定した電流値が閾値より小さければ、上記ＤＣ／ＤＣ回路でのスイッチング動作周波数をアップさせるための周波数可変信号を生成して該ＤＣ／ＤＣ回路に送出する第２の制御回路と
を有することを特徴とする充電装置。
【請求項４】
請求項１もしくは請求項２のいずれかに記載の充電装置であって、
上記インピーダンス測定回路が測定したインピーダンスの値に応じて予め定められたレベルで、上記ＤＣ／ＤＣ回路における充電完了電流値、完了タイマ、予備充電電流値、予備充電タイマ、定電圧充電電圧値のそれぞれを変更するための制御信号を生成して該ＤＣ／ＤＣ回路に出力する第３の制御回路を有することを特徴とする充電装置。
【請求項５】
請求項１から請求項４のいずれかに記載の二次電池と充電装置を具備したことを特徴とする電子機器。
【発明の詳細な説明】
【技術分野】
【０００１】
本発明は、携帯電話機やモバイルコンピュータなどの電子機器等に搭載される二次電池の充電技術に係り、特に、劣化した二次電池に対する充電を効率的に行うのに好適な技術に関するものである。
【背景技術】
【０００２】
従来、携帯電話機やモバイルコンピュータなどに内蔵されるリチウムイオン電池などの二次電池を充電するための充電装置には、携帯電話機やモバイルコンピュータなどの電子機器に搭載されるものもある。
【０００３】
このような二次電池を有した電子機器における充電は、短時間でかつ装置発熱を抑えることが要求される。例えば、リニア方式の充電技術を用いる場合、装置発熱を抑えることはできるが、短時間での充電を行うことは出来ない。
【０００４】
これに対して、降圧ＤＣＤＣ充電技術、または、パルス充電技術を用いることで、短時間でかつ装置発熱を抑えた充電を行うことが知られている。
【０００５】
しかし、これらの降圧ＤＣＤＣ充電またはパルス充電制御を行う技術は、効率良く充電しているだけに過ぎず、劣化した二次電池に対しては効果が得られない。
【０００６】
すなわち、電池劣化すると電池の内部インピーダンスが高くなり、通常のPWM制御では、電池の「リップル電圧が大きくなる」、「電池劣化が早まる」、「給電先のPSRR(Power Supply Rejection Ratio)が確保できなくなる」との問題、ならびに、この問題を、単純にＤＵＴＹ制限を行い解決しても供給電力不足が生じ、劣化電池に対しては「充電時間が長くなる」という問題がある。
【０００７】
例えば、特許文献１では、電池の状態によりＤＵＴＹ制御と電流制限を行い、リップル電圧を抑え、電池の劣化を減少させ、給電先のPSRRの確保を可能とする技術が記載されているが、上述の「劣化電池に対する充電時間が長くなる」との問題を解決することはできない。
【発明の概要】
【発明が解決しようとする課題】
【０００８】
解決しようとする問題点は、従来の技術では、充電対象の二次電池が劣化している場合、充電時間を長くすることなく、リップル電圧の抑止、電池劣化の抑止、PSRRの確保を行うことが困難な点である。
【０００９】
本発明の目的は、これら従来技術の課題を解決し、劣化した二次電池に対する充電を効率的に行うことを可能とすることである。
【課題を解決するための手段】
【００１０】
上記目的を達成するため、本発明では、二次電池の充電開始時または充電中に、当該二次電池のインピーダンスを測定し、測定結果（インピーダンス値）に応じて、ＤＣ／ＤＣ回路において生成するパルスのＤＵＴＹ比を変化させる。例えば、インピーダンスが高ければ二次電池が劣化していると判断して、パルスのＤＵＴＹ比を下げることで、当該二次電池のリップル電圧の抑制を図る。さらに、ＤＵＴＹ比を変化させる（下げる）ことで二次電池に対する充電電流の減少が発生すれば、ＤＣ／ＤＣ回路でのスイッチング動作周波数をアップさせて、充電電流の減少を抑制して、充電時間の長期化を回避する。
【発明の効果】
【００１１】
本発明によれば、給電対象の二次電池が劣化していても、充電時間を長くすること無く、リップル電圧の抑止、電池劣化の抑止、PSRRの確保が可能となる。
【図面の簡単な説明】
【００１２】
【図１】本発明に係る充電装置の構成例を示すブロック図である。
【図２】図１における充電装置の動作例を示すフローチャートである。
【発明を実施するための形態】
【００１３】
以下、図を用いて本発明を実施するための形態例を説明する。図１に示す本発明に係る充電装置１は、インピーダンス測定回路１ａと制御回路１ｂ、ＤＶ／ＤＣ回路１ｃ、充電電流モニタ回路１ｄ、出力回路１ｅを具備し、出力回路１ｅからインダクタＬとコンデンサＣを介して二次電池２に充電電流を供給する。尚、出力回路１ｅは、スイッチングトランジスタとしてのＰＭＯＳトランジスタと同期整流用トランジスタとしてのＮＭＯＳトランジスタからなる。
【００１４】
本例の二次電池２は、携帯電話機やモバイルコンピュータなどの電子機器等に搭載され、本例では、蓄電装置１も当該電子機器等に搭載される。また、この蓄電装置１には図示していないＡＣアダプタが接続され、ＡＣアダプタは商用交流電源ＡＣのコンセントに接続される。
【００１５】
ＤＣ／ＤＣ回路１ｃは、通常動作として、制御回路１ｂからのDuty制御信号に従ってスイッチング動作を行い、充電電流を生成して出力回路１ｅを介して出力する。出力回路１ｅから出力された充電電流は、インダクタＬとコンデンサＣを介して二次電池２に供給され、二次電池２が充電される。
【００１６】
本発明の特徴となるインピーダンス測定回路１ａは、充電開始時あるいは充電中に、二次電池２に対して、例えば、交流法によるインピーダンス測定を行う。
【００１７】
すなわち、インピーダンス測定回路１ａは、二次電池２に対して、交流成分を重畳させた直流電流を出力し、交流成分のみの応答（電圧／電流）を測定し、フーリエ演算により特定の周波数におけるインピーダンスを算出する。
【００１８】
そして、インピーダンス測定回路１ａは、測定結果（算出したインピーダンス）を制御回路１ｂに出力する。
【００１９】
制御回路１ｂは、インピーダンス測定回路１ａからの測定結果（算出したインピーダンスの値）に応じて予め定められたレベルでＤＣ／ＤＣ回路１ｃにおいて生成されるパルスのＤＵＴＹ比を変更するためのＤＵＴＹ制御信号を生成してＤＣ／ＤＣ回路１ｃに出力する。
【００２０】
例えば、制御回路１ｂは、インピーダンス測定回路１ａからの測定結果（算出したインピーダンス）と、予め設定記録されているインピーダンス設定閾値との比較を行い、その比較結果に従ってＤＵＴＹ制限信号を生成してＤＣ／ＤＣ回路１ｃに出力する。
【００２１】
すなわち、インピーダンス測定回路１ａからの測定結果（算出したインピーダンス）が、予め設定されているインピーダンス設定閾値より大きければ、当該二次電池が劣化しているものと判断し、インピーダンス値に応じて、ＤＣ／ＤＣ回路１ｃにおいて生成するパルスのＤＵＴＹ比を下げるためのＤＵＴＹ制御信号を生成して、ＤＣ／ＤＣ回路１ｃに送出する。
【００２２】
ＤＣ／ＤＣ回路１ｃは、制御回路１ｂからのＤＵＴＹ制御信号に従って、パルスのＤＵＴＹ比を下げ、ＤＵＴＹ制限状態とすることで、当該二次電池のリップル電圧の抑制を図る。
【００２３】
しかし、このようにしてＤＵＴＹ制限状態とすることで、本来充電に必要な供給電力が不足する可能性がある為、本例では、充電電流モニタ回路１ｄにより、ＤＣ／ＤＣ回路１ｃの出力端において、充電電流をモニタし、そのモニタ結果を充電電流信号として制御回路１ｂに出力する。
【００２４】
制御回路１ｂにおいては、充電電流モニタ回路１ｄからの検出結果である充電電流信号値が予め定められた閾値以下であれば、ＤＣ／ＤＣ回路１ｃでのスイッチング動作周波数をアップさせるための周波数可変信号を生成してＤＣ／ＤＣ回路１ｃに送出して、ＤＣ／ＤＣ回路１ｃからの出力電流値を高める。
【００２５】
このように、ＤＣ／ＤＣ回路１ｃにおけるＤＵＴＹ制限状態でのスイッチング動作周波数を高めることにより、充電時間の長期化を回避する。
【００２６】
以上のように、図１における本例の充電装置１は、二次電池２の充電開始時または充電中に、インピーダンス測定回路１ａにより二次電池２のインピーダンスを測定し、制御回路１ｂ（第１の制御回路）により、測定結果（インピーダンス値）に応じて、ＤＣ／ＤＣ回路１ｃにおいて生成するパルスのＤＵＴＹ比を変化させる。
【００２７】
例えば、インピーダンスが高ければ二次電池２が劣化していると判断して、パルスのＤＵＴＹ比を下げることで、二次電池２のリップル電圧の抑制を図る。
【００２８】
さらに、充電電流モニタ回路１ｄにより二次電池２に対する充電電流の変化を測定してその測定結果を制御回路１ｂに入力し、制御回路１ｂ（第２の制御回路）は、ＤＵＴＹ比を変化させる（下げる）ことで二次電池２に対する充電電流が減少したことを検知すると、ＤＣ／ＤＣ回路１ｃでのスイッチング動作周波数をアップさせて、充電電流の減少を抑制して、充電時間の長期化を回避する。
【００２９】
尚、充電装置１においては、従来、リチウムイオンの二次電池の充電では、二次電池が過放電状態にあるときには、比較的小さい電流で充電（予備充電）し、その後、大きい充電電流による定電流充電を行い、電圧が所定値に達すると、定電圧充電を行う技術が用いられている。
【００３０】
すなわち、充電装置１では、出力回路１ｅにおけるＰＭＯＳトランジスタのゲート電圧を制御することにより、充電電流または二次電池２に印加される電池電圧を制御するが、充電動作の開始時には、図示していない電池電圧検出回路により、二次電池２の電池電圧（Ｖ）を検出する。
【００３１】
一般に、二次電池２の充電電力が十分に消費されて、その両端の電池電圧（Ｖ）が予め定められた第１の所定値（Ｖ１）より低い過放電状態にあるときに（Ｖ＜Ｖ１）、二次電池２に大電流を供給して充電すると、二次電池２の充電サイクルが劣化したり、液漏れや破裂が生じたりすることがある。そこで、二次電池２が過放電状態（放電が著しい状態）にあるときには、電池電圧（Ｖ）が第１の所定値（Ｖ１）より高くなるまで、数ｍＡ〜数十ｍＡ（例えば１０ｍＡ）の比較的に小さい電流で二次電池２を充電する（これが予備充電である）必要がある。
【００３２】
さらに、予備充電により、電池電圧（Ｖ）が第１の所定値（Ｖ１）より高くなると（Ｖ＞Ｖ１）、３００ｍＡ〜７００ｍＡ（例えば６００ｍＡ）のより大きい電流で二次電池２を充電する（これを急速充電という）。
【００３３】
このように、充電装置１は、二次電池２が過放電状態にある場合には予備充電時の電流量を出力し、過放電状態にない場合には急速充電時の電流量を出力する。尚、予備充電は、充電の迅速化のために予備的に行われるものであり、常には必要なわけではない。
【００３４】
また、充電装置１では、図示していない充電電流検出回路により、充電電流（Ｉ）をモニタしており、二次電池２が過放電状態にあるとき（予備充電時）に供給すべき第１の電流量となるように、出力回路１ｅにおけるＰＭＯＳトランジスタのゲート電圧を制御する。
【００３５】
このようにして予備充電が進むと、二次電池２の電池電圧（Ｖ）が上昇し、その結果、第１の所定値（Ｖ１）よりも高くなると（Ｖ＞Ｖ１）、モニタしている充電電流（Ｉ）が、予め定められた急速充電時に供給すべき電流量となるように、出力回路１ｅにおけるＰＭＯＳトランジスタのゲート電圧を制御する。
【００３６】
このように、充電装置１は、予備充電および急速充電において、実際に充電経路に流れる電流量がほぼ一定に維持され、すなわち、定電流による予備充電および急速充電が実現されるように、出力回路１ｅにおけるＰＭＯＳトランジスタのゲート電圧を制御する。
【００３７】
さらに、急速充電が進むと、二次電池２の電池電圧（Ｖ）が上昇し、第２の所定値（Ｖ２）よりも高くなる（Ｖ＞Ｖ２＞Ｖ１）。この状態で、定電流充電を継続して行うと、例えば、二次電池がリチウムイオン電池である場合、電池内部に金属リチウムが析出し、極めて危険である。そこで、一般には、充電がある程度進み、二次電池２の電池電圧が第２の所定値（Ｖ２）に達すると、定電流による充電ではなく、二次電池２に印加される電圧が一定となるように定電圧による充電（これを定電圧充電という）が行われる。
【００３８】
具体的には、充電装置１は、図示していない電池電圧検出回路により検出された二次電池２の電池電圧（Ｖ）が第２の所定値（Ｖ２）よりも高くなると、電池電圧（Ｖ）が第３の所定値（Ｖ３）となるように、出力回路１ｅにおけるＰＭＯＳトランジスタのゲート電圧を制御する。
【００３９】
さらに、充電装置１は、定電圧による充電中、図示していない充電電流検出回路により、充電経路に流れる電流量を継続的にモニタし、所定の電流量以下になると、充電が完了したと判断して、一連の充電動作を完了する。
【００４０】
尚、充電装置１においては、上述の予備充電および定電流充電の継続時間をタイマにより計測し、予備充電および定電流充電の継続時間が、予め定められた時間を超えると、所定電圧に達していない場合でも、予備充電動作から定電流充電動作、定電流充電動作から定電圧充電動作に切り替える。
【００４１】
従って、本例の充電装置１では、外部からの指示設定に従って、予備充電動作中にインピーダンス測定回路１ａで測定した二次電池２のインピーダンスの値に応じて予め定められたレベルで、予備充電電流と予備充電完了タイマ値を変更し、また、定電流充電動作中にインピーダンス測定回路１ａで測定した二次電池２のインピーダンスの値に応じて予め定められたレベルで、充電完了電流値と充電完了タイマ値を変更し、さらに、定電圧充電動作中にインピーダンス測定回路１ａで測定した二次電池２のインピーダンスの値に応じて予め定められたレベルで、充電電圧を変更する構成とすることで、二次電池２への効率的な充電を可能とする。
【００４２】
そして、このような調整制御中におけるＤＣ／ＤＣ回路１ｃから出力される電流値を充電電流モニタ回路１ｄにおいて測定して制御回路１ｂに入力し、制御回路１ｂは、充電電流モニタ回路１ｄが測定した電流値と予め設定された閾値とを比較し、測定した電流値が閾値より小さければ、ＤＣ／ＤＣ回路１ｃでのスイッチング動作周波数をアップさせるための周波数可変信号を生成してＤＣ／ＤＣ回路１ｃに送出する。
【００４３】
以下、図１における充電装置１の動作を、図２のフローチャートを用いて説明する。
【００４４】
まず、充電開始時、インピーダンス測定回路１ａにおいて二次電池２のインピーダンス測定を行い、その測定結果に基づき、制御回路１ｂにおいて、二次電池２が劣化してＤＵＴＹ制限が必要であるか否かを判定する（ステップＳ２０１）。
【００４５】
ＤＵＴＹ制限の必要がなければ（ＹＥＳ）通常の定電流充電を行うが（ステップＳ２０２）、ＤＵＴＹ制限の必要があれば（ＮＯ）、ＤＵＴＹ制限付きでの定電流充電、すなわち、制御回路１ｂからＤＣ／ＤＣ回路１ｃにＤＵＴＹ制御信号を出力して、ＤＣ／ＤＣ回路１ｃにおけるパルスのＤＵＴＹを下げての定電流充電を行う（ステップＳ２０３）。
【００４６】
このＤＵＴＹ制限付きでの定電流充電による電力供給の低下を、充電電流モニタ回路１ｄにおいて監視し（ステップＳ２０４）、電力供給が低下していれば（ＮＯ）、制御回路１ｂからＤＣ／ＤＣ回路１ｃに周波数可変信号を出力して、ＤＣ／ＤＣ回路１ｃにおけるスイッチング動作周波数を変更して、正常な電力供給量を確保する（ステップＳ２０５）。
【００４７】
電力供給が低下していなければ（ＮＯ）、あるいは、ステップ２０２での通常の定電流充電動作の後、定電流充電完了タイマのカウントアップ完了後の定電圧充電動作開始時に、再度、インピーダンス測定回路１ａによる二次電池２のインピーダンス測定結果に基づく制御回路１ｂにおける二次電池２の劣化の有無（ＤＵＴＹ制限の要否）を判定する（ステップＳ２０６）。
【００４８】
ＤＵＴＹ制限の必要がなければ（ＹＥＳ）通常の定電圧充電を行うが（ステップＳ２０７）、ＤＵＴＹ制限の必要があれば（ＮＯ）、ＤＵＴＹ制限付きでの定電圧充電、すなわち、制御回路１ｂからＤＣ／ＤＣ回路１ｃにＤＵＴＹ制御信号を出力して、ＤＣ／ＤＣ回路１ｃにおけるパルスのＤＵＴＹを下げての定電圧充電を行う（ステップＳ２０８）。
【００４９】
そして、このＤＵＴＹ制限付きでの定電圧充電による電力供給の低下を、充電電流モニタ回路１ｄにおいて監視し（ステップＳ２０９）、電力供給が低下していれば（ＮＯ）、制御回路１ｂからＤＣ／ＤＣ回路１ｃに周波数可変信号を出力して、ＤＣ／ＤＣ回路１ｃにおけるスイッチング動作周波数を変更して、正常な電力供給に補間する（ステップＳ２１０）。
【００５０】
電力供給が低下していなければ（ＮＯ）、あるいは、ステップ２０７での通常の定電圧充電動作の後、当該充電動作を完了する。
【００５１】
以上、図１，２を用いて説明したように、本例の充電装置１は、二次電池２の充電開始時または充電中に、インピーダンス測定回路１ａにより二次電池２のインピーダンスを測定し、制御回路１ｂにより、測定結果（インピーダンス値）に応じて、ＤＣ／ＤＣ回路１ｃにおいて生成するパルスのＤＵＴＹ比を変化させる。
【００５２】
例えば、インピーダンスが高ければ二次電池２が劣化していると判断して、パルスのＤＵＴＹ比を下げることで、二次電池２のリップル電圧の抑制を図る。
【００５３】
さらに、充電電流モニタ回路１ｄにより二次電池２に対する充電電流の変化を測定してその測定結果を制御回路１ｂに入力し、制御回路１ｂは、ＤＵＴＹ比を変化させる（下げる）ことで二次電池２に対する充電電流が減少したことを検知すると、ＤＣ／ＤＣ回路１ｃでのスイッチング動作周波数をアップさせる。これにより、充電電流の減少を抑制して、充電時間の長期化を回避する。
【００５４】
より詳細には、インピーダンス測定回路１ａにより二次電池２のインピーダンスを測定し、制御回路１ｂ（第１の制御回路）は、インピーダンス測定回路１ａが測定したインピーダンスと予め設定された第１の閾値とを比較し、測定したインピーダンスが第１の閾値より大きければ、ＤＣ／ＤＣ回路１ｃで生成するパルスのＤＵＴＹ比を下げるためのＤＵＴＹ制御信号を生成してＤＣ／ＤＣ回路１ｃに送出し、ＤＣ／ＤＣ回路１ｃは、制御回路１ｂからのＤＵＴＹ制御信号によりパルスのＤＵＴＹ比を下げ、充電電流モニタ回路１ｄは、ＤＣ／ＤＣ回路１ｃにおけるＤＵＴＹ比を下げたパルスでの出力電流値を測定し、制御回路１ｂ（第２の制御回路）は、充電電流モニタ回路１ｄが測定した電流値と予め設定された第２の閾値とを比較し、測定した電流値が第２の閾値より小さければ、ＤＣ／ＤＣ回路１ｃでのスイッチング動作周波数をアップさせるための周波数可変信号を生成してＤＣ／ＤＣ回路１ｃに送出する。
【００５５】
あるいは、制御回路１ｂ（第１の制御回路）は、インピーダンス測定回路１ａが測定したインピーダンスの値に応じて予め定められたレベルでＤＣ／ＤＣ回路１ｃで生成するパルスのＤＵＴＹ比を変更するためのＤＵＴＹ制御信号を生成してＤＣ／ＤＣ回路１ｃに送出し、充電電流モニタ回路１ｄは、制御回路１ｂからのＤＵＴＹ制御信号により変更されたＤＵＴＹ比でのＤＣ／ＤＣ回路１ｃからの出力電流値を測定し、制御回路１ｂ（第２の制御回路）は、充電電流モニタ回路１ｄが測定した電流値と予め設定された第２の閾値とを比較し、測定した電流値が第２の閾値より小さければ、ＤＣ／ＤＣ回路１ｃでのスイッチング動作周波数をアップさせるための周波数可変信号を生成してＤＣ／ＤＣ回路１ｃに送出する。
【００５６】
あるいは、制御回路１ｂ（第１の制御回路）は、インピーダンス測定回路１ａが測定したインピーダンスの値に応じて予め定められたレベルで、ＤＣ／ＤＣ回路１ｃにおける充電完了電流値、完了タイマ、予備充電電流値、予備充電タイマ、定電圧充電電圧値のそれぞれを変更するための制御信号を生成してＤＣ／ＤＣ回路１ｃに出力し、充電電流モニタ回路１ｄは、制御回路１ｂからの制御信号により変更された充電完了電流値、完了タイマ、予備充電電流値、予備充電タイマ、定電圧充電電圧値でのＤＣ／ＤＣ回路１ｃの出力電流値を測定し、制御回路１ｂ（第２の制御回路）は、充電電流モニタ回路１ｄが測定した電流値と予め設定された第２の閾値とを比較し、測定した電流値が第２の閾値より小さければ、ＤＣ／ＤＣ回路１ｃでのスイッチング動作周波数をアップさせるための周波数可変信号を生成してＤＣ／ＤＣ回路１ｃに送出する。
【００５７】
以上の動作を行う本例の充電装置１によれば、給電対象の二次電池２が劣化していても、充電時間を長くすること無く、リップル電圧の抑止、電池劣化の抑止、PSRRの確保が可能となる。
【００５８】
尚、本発明は、図１，２を用いて説明した例に限定されるものではなく、その要旨を逸脱しない範囲において種々変更可能である。例えば、本例では、制御回路１ｂにおいて、インピーダンス測定回路１ａからの測定結果（算出したインピーダンス）との比較に用いるインピーダンス設定閾値は、予め設定記録されているものとしたが、充電対象の二次電池２の特性に応じてユーザが外部から直接、入力設定可能とする構成としても良い。
【００５９】
また、本例では、二次電池２として、携帯電話機やモバイルコンピュータなどの電子機器等に搭載される二次電池を想定し、また、本発明の充電装置自体も当該電子機器等の搭載する構成としているが、本発明は、例えば、自動車用のバッテリー等の充電装置にも適用することができる。
【符号の説明】
【００６０】
１：充電装置、１ａ：インピーダンス測定回路、１ｂ：制御回路、１ｃ：ＤＣ／ＤＣ回路、１ｄ：充電電流モニタ回路、１ｅ：出力回路、２：二次電池、Ｃ：コンデンサ、Ｌ：インダクタ。
【先行技術文献】
【特許文献】
【００６１】
【特許文献１】特許第３４２０３２５号公報
【図１】
2011024395.tif 000003
【図２】
2011024395.tif 000004